【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
方法であって、
無線デバイス（４０６）によって、第１の論理チャネルグループを含む論理チャネルグループにグループ化された論理チャネルの構成パラメータを受信することと、
パディングビット数に基づいて、切り捨てられたバッファステータスレポート（ＢＳＲ）を送信することと、
を含み、
前記切り捨てられたＢＳＲが、
前記第１の論理チャネルグループに対するバッファサイズフィールドの存在を示す、存在ビット、および
優先度の減少順に従って送信するためのデータを有する論理チャネルを含む論理チャネルグループに対する、第１の数のバッファサイズフィールド、
を含み、前記第１の数が、前記パディングビット数に基づいて決定される、方法。
【請求項２】
アップリンクリソース割り当てを示すアップリンクグラントを含むダウンリンク制御情報を受信することをさらに含み、前記パディングビット数が、少なくとも前記アップリンクグラントのサイズに基づく、請求項１に記載の方法。
【請求項３】
前記切り捨てられたＢＳＲが、論理チャネル識別子および長さフィールドを含む、媒体アクセス制御サブヘッダと関連付けられ、前記長さフィールドが、前記切り捨てられたＢＳＲの長さを示す、請求項１または２のいずれかに記載の方法。
【請求項４】
前記第１の数のバッファサイズフィールドが、前記パディングビットに適合する前記切り捨てられたＢＳＲのサイズに基づいて決定される、請求項１〜３のいずれかに記載の方法。
【請求項５】
無線デバイス（４０６）であって、
１つ以上のプロセッサ（４０３）と、
命令（４０５）を記憶するメモリ（４０４）と、
を備え、前記命令が、前記１つ以上のプロセッサ（４０３）によって実行されたとき、前記無線デバイス（４０６）に、
第１の論理チャネルグループを含む論理チャネルグループにグループ化された論理チャネルの構成パラメータを受信することと、
パディングビット数に基づいて、切り捨てられたバッファステータスレポート（ＢＳＲ）を送信することと、
を行わせ、前記切り捨てられたＢＳＲが、
前記第１の論理チャネルグループに対するバッファサイズフィールドの存在を示す、存在ビット、および
優先度の減少順に従って送信するためのデータを有する論理チャネルを含む論理チャネルグループに対する、第１の数のバッファサイズフィールド、
を含み、前記第１の数が、前記パディングビット数に基づいて決定される、無線デバイス（４０６）。
【請求項６】
前記命令（４０５）が、実行されたとき、前記無線デバイス（４０６）に、アップリンクリソース割り当てを示すアップリンクグラントを含むダウンリンク制御情報を受信することをさらに行わせ、
前記パディングビット数が、少なくとも前記アップリンクグラントのサイズに基づく、請求項５に記載の無線デバイス（４０６）。
【請求項７】
前記切り捨てられたＢＳＲが、論理チャネル識別子および長さフィールドを含む、媒体アクセス制御サブヘッダと関連付けられ、前記長さフィールドが、前記切り捨てられたＢＳＲの長さを示す、請求項５または６のいずれかに記載の無線デバイス（４０６）。
【請求項８】
前記第１の数のバッファサイズフィールドが、前記パディングビットに適合する前記切り捨てられたＢＳＲのサイズに基づいて決定される、請求項５〜７のいずれかに記載の無線デバイス（４０６）。
【請求項９】
方法であって、
基地局（４０１）によって、第１の論理チャネルグループを含む論理チャネルグループにグループ化された論理チャネルの構成パラメータを送信することと、
パディングビット数に基づいて、切り捨てられたバッファステータスレポート（ＢＳＲ）を受信することと、
を含み、前記切り捨てられたＢＳＲが、
前記第１の論理チャネルグループに対するバッファサイズフィールドの存在を示す、存在ビット、および
優先度の減少順に従って送信するためのデータを有する論理チャネルを含む論理チャネルグループに対する、第１の数のバッファサイズフィールド、
を含み、前記第１の数が、前記パディングビット数に基づいて決定される、方法。
【請求項１０】
アップリンクリソース割り当てを示すアップリンクグラントを含むダウンリンク制御情報を送信することをさらに含み、前記パディングビット数が、少なくとも前記アップリンクグラントのサイズに基づく、請求項９に記載の方法。
【請求項１１】
前記切り捨てられたＢＳＲが、論理チャネル識別子および長さフィールドを含む、媒体アクセス制御サブヘッダと関連付けられ、前記長さフィールドが、前記切り捨てられたＢＳＲの長さを示す、請求項９または１０のいずれかに記載の方法。
【請求項１２】
前記第１の数のバッファサイズフィールドが、前記パディングビットに適合する前記切り捨てられたＢＳＲのサイズに基づいて決定される、請求項９〜１１のいずれかに記載の方法。
【請求項１３】
基地局（４０１）であって、
１つ以上のプロセッサ（４０３）と、
命令（４０５）を記憶するメモリ（４０４）と、
を備え、前記命令が、前記１つ以上のプロセッサに（４０３）よって実行されたとき、前記基地局（４０１）に、
第１の論理チャネルグループを含む論理チャネルグループにグループ化された論理チャネルの構成パラメータを送信することと、
パディングビット数に基づいて、切り捨てられたバッファステータスレポート（ＢＳＲ）を受信することと、
を行わせ、前記切り捨てられたＢＳＲが、
前記第１の論理チャネルグループに対するバッファサイズフィールドの存在を示す、存在ビット、および
優先度の減少順に従って送信するためのデータを有する論理チャネルを含む論理チャネルグループに対する、第１の数のバッファサイズフィールド、
を含み、前記第１の数が、前記パディングビット数に基づいて決定される、基地局（４０１）。
【請求項１４】
前記命令（４０５）が、実行されたとき、前記基地局（４０１）に、アップリンクリソース割り当てを示すアップリンクグラントを含むダウンリンク制御情報を送信することをさらに行わせ、
前記パディングビット数が、少なくとも前記アップリンクグラントのサイズに基づく、請求項１３に記載の基地局（４０１）。
【請求項１５】
前記切り捨てられたＢＳＲが、論理チャネル識別子および長さフィールドを含む、媒体アクセス制御サブヘッダと関連付けられ、前記長さフィールドが、前記切り捨てられたＢＳＲの長さを示し、
前記第１の数のバッファサイズフィールドが、前記パディングビットに適合する前記切り捨てられたＢＳＲのサイズに基づいて決定される、請求項１３または１４のいずれかに記載の基地局（４０１）。
【手続補正２】
【補正対象書類名】明細書
【補正対象項目名】０００２
【補正方法】変更
【補正の内容】
【０００２】
本開示の様々な実施形態のうちのいくつかの例が、図面を参照して本明細書に記載されている。
本発明は、例えば、以下を提供する。
（項目１）
方法であって、
無線デバイスによって、第１の論理チャネルグループを含む複数の論理チャネルグループにグループ化された複数の論理チャネルの構成パラメータを受信することと、
パディングバッファステータスレポート（ＢＳＲ）をトリガすることと、
切り捨てられたＢＳＲを、
前記パディングＢＳＲをトリガすることと、
パディングビット数が、
短いＢＳＲに短いＢＳＲサブヘッダを加えたサイズよりも大きく、かつ、
長いＢＳＲに長いＢＳＲサブヘッダを加えたサイズよりも小さいことと、に応答して、送信することと、を含み、
前記切り捨てられたＢＳＲが、
複数の存在ビットを含む第１のフィールドであって、前記複数の存在ビット内の存在ビットが、前記存在ビットに対応する前記第１の論理チャネルグループに対するバッファサイズフィールドの存在を示し、前記バッファサイズフィールドが、前記第１の論理チャネルグループの論理チャネル全体にわたって利用可能なデータ量を示す、第１のフィールドと、
優先度の減少順に従って送信するための利用可能なデータを有する論理チャネルを有する論理チャネルグループに対する、第１の数のバッファサイズフィールドであって、前記第１の数が、前記パディングビット数に基づいて決定されている、第１の数のバッファサイズフィールドと、を含む、方法。
（項目２）
前記構成パラメータが、前記複数の論理チャネル内の論理チャネルに対する優先度を示す、項目１に記載の方法。
（項目３）
アップリンクリソース割り当てを示すアップリンクグラントを含むダウンリンク制御情報を受信することをさらに含む、項目１または２に記載の方法。
（項目４）
前記パディングビット数が、前記アップリンクグラントのサイズに少なくとも基づいている、項目１〜３のいずれかに記載の方法。
（項目５）
前記切り捨てられたＢＳＲが、論理チャネル識別子および長さフィールドを含む、媒体アクセス制御サブヘッダと関連付けられ、前記長さフィールドが、前記切り捨てられたＢＳＲの長さを示す、項目１〜４のいずれかに記載の方法。
（項目６）
前記第１の数のバッファサイズフィールドが、前記パディングビットに適合する前記切り捨てられたＢＳＲのサイズに基づいて決定されている、項目１〜５のいずれかに記載の方法。
（項目７）
前記切り捨てられたＢＳＲのサイズが、前記第１の数のバッファサイズフィールドに依存する、項目１〜６のいずれかに記載の方法。
（項目８）
前記第１のフィールド内の前記第１の存在ビットの第１の位置が、論理チャネルグループ識別子を識別する、項目１〜７のいずれかに記載の方法。
（項目９）
前記第１の存在ビットに対して１である第１の値が、前記第１の存在ビットに対応する前記第１の論理チャネルグループに対する前記バッファサイズフィールドが存在することを示し、
前記第１の存在ビットに対してゼロである第２の値が、前記第１の存在ビットに対応する前記第１の論理チャネルグループに対する前記バッファサイズフィールドが存在しないことを示す、項目１〜８のいずれかに記載の方法。
（項目１０）
前記切り捨てられたＢＳＲを送信することが、
前記パディングＢＳＲをトリガすることと、
前記パディングビット数が前記短いＢＳＲに前記短いＢＳＲサブヘッダを加えたサイズに等しいことと、にさらに応答することをさらに含む、項目１〜９のいずれかに記載の方法。
（項目１１）
無線デバイスであって、
１つ以上のプロセッサと、
命令を格納するメモリであって、前記命令が、前記１つ以上のプロセッサによって実行されたときに、前記無線デバイスに、
第１の論理チャネルグループを含む複数の論理チャネルグループにグループ化された複数の論理チャネルの構成パラメータを受信することと、
切り捨てられたバッファステータスレポート（ＢＳＲ）を送信することであって、
パディングビット数が、
短いＢＳＲに短いＢＳＲサブヘッダを加えたサイズよりも大きく、かつ、
長いＢＳＲに長いＢＳＲサブヘッダを加えたサイズよりも小さいことに応答して、送信することと、を行わせる、メモリと、を備え、
前記切り捨てられたＢＳＲが、
複数の存在ビットを含む第１のフィールドであって、前記複数の存在ビット内の存在ビットが、前記存在ビットに対応する前記第１の論理チャネルグループに対するバッファサイズフィールドの存在を示し、前記バッファサイズフィールドが、前記第１の論理チャネルグループの論理チャネル全体にわたって利用可能なデータ量を示す、第１のフィールドと、
優先度の減少順に従って送信するための利用可能なデータを有する論理チャネルを有する論理チャネルグループに対する、第１の数のバッファサイズフィールドであって、前記第１の数が、前記パディングビット数に基づいて決定される、第１の数のバッファサイズフィールドと、を含む、無線デバイス。
（項目１２）
前記構成パラメータが、前記複数の論理チャネル内の論理チャネルに対する優先度を示す、項目１１に記載の無線デバイス。
（項目１３）
前記命令は、前記１つ以上のプロセッサによって実行されたときに、前記無線デバイスに、アップリンクリソース割り当てを示すアップリンクグラントを含むダウンリンク制御情報を受信することをさらに行わせる、項目１１または１２に記載の無線デバイス。
（項目１４）
前記パディングビット数が、前記アップリンクグラントのサイズに少なくとも基づいている、項目１１〜１３のいずれかに記載の無線デバイス。
（項目１５）
前記切り捨てられたＢＳＲが、論理チャネル識別子および長さフィールドを含む媒体アクセス制御サブヘッダと関連付けられ、前記長さフィールドが、前記切り捨てられたＢＳＲの長さを示す、項目１１〜１４のいずれかに記載の無線デバイス。
（項目１６）
前記第１の数のバッファサイズフィールドが、前記パディングビットに適合する前記切り捨てられたＢＳＲのサイズに基づいて決定されている、項目１１〜１５のいずれかに記載の無線デバイス。
（項目１７）
前記切り捨てられたＢＳＲのサイズが、前記第１の数のバッファサイズフィールドに依存する、項目１１〜１６のいずれかに記載の無線デバイス。
（項目１８）
前記第１のフィールド内の前記第１の存在ビットの第１の位置が、論理チャネルグループ識別子を識別する、項目１１〜１７のいずれかに記載の無線デバイス。
（項目１９）
前記第１の存在ビットに対して１である第１の値が、前記第１の存在ビットに対応する前記第１の論理チャネルグループに対する前記バッファサイズフィールドが存在することを示し、
前記第１の存在ビットに対してゼロである第２の値が、前記第１の存在ビットに対応する前記論理チャネルグループに対する前記バッファサイズフィールドが存在しないことを示す、項目１１〜１８のいずれかに記載の無線デバイス。
（項目２０）
前記切り捨てられたＢＳＲを送信することが、
前記パディングＢＳＲをトリガすることと、
前記パディングビット数が前記短いＢＳＲに前記短いＢＳＲサブヘッダを加えたサイズに等しいことと、にさらに応答する、項目１１〜１９のいずれかに記載の無線デバイス。
（項目２１）
無線デバイスであって、
１つ以上のプロセッサと、
命令を格納するメモリであって、前記命令が、前記１つ以上のプロセッサによって実行されたときに、前記無線デバイスに、
複数の論理チャネルグループにグループ化された複数の論理チャネルの構成パラメータを受信することと、
切り捨てられたバッファステータスレポート（ＢＳＲ）を送信することであって、パディングビット数が、
短いＢＳＲに短いＢＳＲサブヘッダを加えたサイズよりも大きく、かつ、
長いＢＳＲに長いＢＳＲサブヘッダを加えたサイズよりも小さいことに応答して、送信することと、を行わせる、メモリと、を備え、
前記切り捨てられたＢＳＲが、
前記複数の論理チャネルグループ内の第１の論理チャネルグループに対する第１の存在ビットを含む一連の存在ビットを含む第１のフィールドであって、
前記第１のフィールド内の前記第１の存在ビットの第１の位置が、前記第１の論理チャネルグループの識別子を識別し、かつ、
前記第１の存在ビットの値が、前記第１の論理チャネルグループに対するバッファサイズフィールドの存在を示す、第１のフィールドと、
優先度の減少順に従って送信するための利用可能なデータを有する論理チャネルを有する前記第１の数の論理チャネルグループに対する、第１の数のバッファサイズフィールドであって、前記第１の数が、前記パディングビット数に基づいて決定されている、第１の数のバッファサイズフィールドと、を含む、無線デバイス。
（項目２２）
前記命令が、前記１つ以上のプロセッサによって実行されたときに、前記無線デバイスに、アップリンクリソース割り当てを示すアップリンクグラントを含むダウンリンク制御情報を受信することをさらに行わせる、項目２１に記載の無線デバイス。
（項目２３）
前記パディングビット数が、前記アップリンクグラントのサイズに少なくとも基づいている、項目２１または２２に記載の無線デバイス。
（項目２４）
前記切り捨てられたＢＳＲが、論理チャネル識別子および長さフィールドを含む、媒体アクセス制御サブヘッダと関連付けられ、前記長さフィールドが、前記切り捨てられたＢＳＲの長さを示す、項目２１〜２３のいずれかに記載の無線デバイス。
（項目２５）
前記第１のバッファサイズフィールド数が、前記パディングビットに適合する前記切り捨てられたＢＳＲのサイズに基づいて決定されている、項目２１〜２４のいずれかに記載の無線デバイス。
（項目２６）
前記第１の存在ビットに対して１である第１の値が、前記第１の存在ビットに対応する前記第１の論理チャネルグループに対する前記バッファサイズフィールドが存在することを示し、
前記第１の存在ビットに対してゼロである第２の値が、前記第１の存在ビットに対応する前記論理チャネルグループに対する前記バッファサイズフィールドが存在しないことを示す、項目２１〜２５のいずれかに記載の無線デバイス。
（項目２７）
基地局であって、
１つ以上のプロセッサと、
命令を格納するメモリであって、前記命令は、前記１つ以上のプロセッサによって実行されたときに、前記基地局に、
第１の論理チャネルグループを含む複数の論理チャネルグループにグループ化された複数の論理チャネルの構成パラメータを送信することと、
切り捨てられたＢＳＲを受信することであって、パディングビット数が、
短いＢＳＲに短いＢＳＲサブヘッダを加えたサイズよりも大きく、かつ、
長いＢＳＲに長いＢＳＲサブヘッダを加えたサイズよりも小さいことに応答して、受信することと、を行わせる、メモリと、を備え、
前記切り捨てられたＢＳＲが、
複数の存在ビットを含む第１のフィールドであって、前記複数の存在ビット内の存在ビットが、前記存在ビットに対応する前記第１の論理チャネルグループに対するバッファサイズフィールドの存在を示し、前記バッファサイズフィールドが、前記第１の論理チャネルグループの論理チャネル全体にわたって利用可能なデータ量を示す、第１のフィールドと、
優先度の減少順に従って送信するための利用可能なデータを有する論理チャネルを有する前記第１の数の論理チャネルグループに対する、第１の数のバッファサイズフィールドであって、前記第１の数が、前記パディングビット数に基づいて決定されている、第１の数のバッファサイズフィールドと、を含む、基地局。
（項目２８）
前記命令が、前記１つ以上のプロセッサによって実行されたときに、前記基地局に、アップリンクリソース割り当てを示すアップリンクグラントを含むダウンリンク制御情報を送信することをさらに行わせる、項目２７に記載の基地局。
（項目２９）
前記パディングビット数が、前記アップリンクグラントのサイズに少なくとも基づいている、項目２７または２８に記載の基地局。
（項目３０）
前記切り捨てられたＢＳＲが、論理チャネル識別子および長さフィールドを含む、媒体アクセス制御サブヘッダと関連付けられ、前記長さフィールドが、前記切り捨てられたＢＳＲの長さを示す、項目２７〜２９のいずれかに記載の基地局。
（項目３１）
前記第１の数のバッファサイズフィールドが、前記パディングビットに適合する前記切り捨てられたＢＳＲのサイズに基づいて決定されている、項目２７〜３０のいずれかに記載の基地局。
（項目３２）
前記第１の存在ビットに対して１である第１の値が、前記第１の存在ビットに対応する前記第１の論理チャネルグループに対する前記バッファサイズフィールドが存在することを示し、
前記第１の存在ビットに対してゼロである第２の値が、前記第１の存在ビットに対応する前記論理チャネルグループに対する前記バッファサイズフィールドが存在しないことを示す、項目２７〜３１のいずれかに記載の基地局。
（項目３３）
方法であって、
無線デバイスによって、第１の論理チャネルグループを含む複数の論理チャネルグループにグループ化される複数の論理チャネルの構成パラメータを受信することと、
切り捨てられたバッファステータスレポート（ＢＳＲ）を送信することであって、パディングビット数が、
短いＢＳＲに短いＢＳＲサブヘッダを加えたサイズよりも大きく、かつ、
長いＢＳＲに長いＢＳＲサブヘッダを加えたサイズよりも小さいことと、に応答して、送信することと、を含み、
前記切り捨てられたＢＳＲが、
複数の存在ビットを含む第１のフィールドであって、前記複数の存在ビット内の存在ビットが、前記存在ビットに対応する前記第１の論理チャネルグループに対するバッファサイズフィールドの存在を示す、第１のフィールドと、
優先度の減少順に従って送信するための利用可能なデータを有する論理チャネルを有する論理チャネルグループに対する、第１の数のバッファサイズフィールドであって、前記第１の数が、前記パディングビット数に基づいて決定されている、第１の数のバッファサイズフィールドと、を含む、方法。
（項目３４）
アップリンクリソース割り当てを示すアップリンクグラントを含むダウンリンク制御情報を受信することをさらに含む、項目３３に記載の方法。
（項目３５）
前記パディングビット数が、前記アップリンクグラントのサイズに少なくとも基づいている、項目３３または３４に記載の方法。
（項目３６）
前記切り捨てられたＢＳＲが、論理チャネル識別子および長さフィールドを含む、媒体アクセス制御サブヘッダと関連付けられ、前記長さフィールドが、前記切り捨てられたＢＳＲの長さを示す、項目３３〜３５のいずれかに記載の方法。
（項目３７）
前記第１の数のバッファサイズフィールドが、前記パディングビットに適合する前記切り捨てられたＢＳＲのサイズに基づいて決定されている、項目３３〜３６のいずれかに記載の方法。
（項目３８）
前記第１の存在ビットに対して１である第１の値が、前記第１の存在ビットに対応する前記第１の論理チャネルグループに対する前記バッファサイズフィールドが存在することを示し、
前記第１の存在ビットに対してゼロである第２の値が、前記第１の存在ビットに対応する前記論理チャネルグループに対する前記バッファサイズフィールドが存在しないことを示す、項目３３〜３７のいずれかに記載の方法。
（項目３９）
方法であって、
無線デバイスによって、基地局から、第１の論理チャネル優先度を有する第１の論理チャネルを含む複数の論理チャネルの構成パラメータを受信することであって、前記第１の論理チャネルが、１つ以上の送信持続時間にマッピングされている、受信することと、
バッファステータスレポートを、
アップリンクデータが、アップリンクデータを有する第１の複数の論理チャネル内の前記第１の論理チャネルに対して利用可能になることと、
前記第１のチャネル優先度が、前記第１の複数の論理チャネル内の１つ以上の選択された論理チャネルの１つ以上の優先度よりも高いことであって、前記１つ以上の選択された論理チャネルが、前記１つ以上の送信持続時間にマッピングされていることに応答して選択される、高いことと、に応答して、トリガすることと、
前記バッファステータスレポートを前記基地局に送信することと、を含む、方法。
（項目４０）
前記１つ以上の選択された論理チャネルが、前記第１の複数の論理チャネルよりも少ない、項目３９に記載の方法。
（項目４１）
前記アップリンクデータが前記第１の論理チャネルに対して利用可能になることが、前記アップリンクデータが前記第１の論理チャネルのアップリンクバッファ内で利用可能になることに応答するものであり、前記アップリンクバッファが、無線リンク制御バッファまたはパケットデータコンバージェンスプロトコルバッファである、項目３９または４０に記載の方法。
（項目４２）
前記複数の論理チャネルが、第１の複数の論理チャネルグループにグループ化され、
前記バッファステータスレポートが、前記第１の複数の論理チャネルグループ内の１つ以上の論理チャネルグループのバッファステータスを示す、項目３９〜４１のいずれかに記載の方法。
（項目４３）
前記バッファステータスレポートが、短いフォーマット、長いフォーマット、または切り捨てフォーマットのうちの１つである、項目３９〜４２のいずれかに記載の方法。
（項目４４）
前記構成パラメータが、前記１つ以上の選択された論理チャネル内の第２の論理チャネルが前記１つ以上の送信持続時間にマッピングされているかどうかを示す、項目３９〜４３のいずれかに記載の方法。
（項目４５）
前記第１の論理チャネルが、前記１つ以上の送信持続時間の間、１つの論理チャネル優先度を有する、項目３９〜４４のいずれかに記載の方法。
（項目４６）
前記複数の論理チャネルが、送信持続時間への論理チャネルマッピングに基づいてグループ化されている、項目３９〜４５のいずれかに記載の方法。
（項目４７）
前記構成パラメータが、前記第１の論理チャネルに対する第１の論理チャネル識別子を含む、項目３９〜４６のいずれかに記載の方法。
（項目４８）
前記バッファステータスレポートを送信することに応答して、アップリンクグラントを受信することをさらに含む、項目３９〜４７のいずれかに記載の方法。
（項目４９）
無線デバイスであって、
１つ以上のプロセッサと、
命令を格納するメモリであって、前記命令は、前記１つ以上のプロセッサによって実行されたときに、前記無線デバイスに、
第１の論理チャネル優先度を有する第１の論理チャネルを含む複数の論理チャネルの構成パラメータを受信することであって、前記第１の論理チャネルが、１つ以上の送信持続時間にマッピングされている、受信することと、
バッファステータスレポートを、
アップリンクデータが、アップリンクデータを有する第１の複数の論理チャネル内の前記第１の論理チャネルに対して利用可能になることと、
前記第１のチャネル優先度が、前記第１の複数の論理チャネル内の１つ以上の選択された論理チャネルの１つ以上の優先度よりも高いことであって、前記１つ以上の選択された論理チャネルが、前記１つ以上の送信持続時間にマッピングされていることに応答して選択される、高いことと、に応答して、トリガすることと、
前記バッファステータスレポートを前記基地局に送信することと、を行わせる、メモリと、を備える、無線デバイス。
（項目５０）
前記１つ以上の選択された論理チャネルが、前記第１の複数の論理チャネルよりも少ない、項目４９に記載した無線デバイス。
（項目５１）
前記アップリンクデータが前記第１の論理チャネルに対して利用可能になることは、前記アップリンクデータが前記第１の論理チャネルのアップリンクバッファ内で利用可能になることに応答するものであり、前記アップリンクバッファが、無線リンク制御バッファまたはパケットデータコンバージェンスプロトコルバッファである、項目４９または４８に記載の無線デバイス。
（項目５２）
前記複数の論理チャネルが、第１の複数の論理チャネルグループにグループ化され、
前記バッファステータスレポートが、前記第１の複数の論理チャネルグループ内の１つ以上の論理チャネルグループのバッファステータスを示す、項目４９〜５１のいずれかに記載の無線デバイス。
（項目５３）
前記バッファステータスレポートが、短いフォーマット、長いフォーマット、または切り捨てフォーマットのうちの１つである、項目４９〜５２のいずれかに記載の無線デバイス。
（項目５４）
前記構成パラメータが、前記１つ以上の選択された論理チャネル内の第２の論理チャネルが前記１つ以上の送信持続時間にマッピングされているかどうかを示す、項目４９〜５３のいずれかに記載の無線デバイス。
（項目５５）
前記第１の論理チャネルが、前記１つ以上の送信持続時間の間、１つの論理チャネル優先度を有する、項目４９〜５４のいずれかに記載の無線デバイス。
（項目５６）
前記複数の論理チャネルが、送信持続時間への論理チャネルマッピングに基づいてグループ化されている、項目４９〜５５のいずれかに記載の無線デバイス。
（項目５７）
前記構成パラメータが、前記第１の論理チャネルに対する第１の論理チャネル識別子を含む、項目４９〜５６のいずれかに記載の方法。
（項目５８）
前記命令が、前記１つ以上のプロセッサによって実行されたときに、前記無線デバイスに、前記バッファステータスレポートを送信することに応答してアップリンクグラントを受信することをさらに行わせる、項目４９〜５７のいずれかに記載の無線デバイス。
（項目５９）
方法であって、
無線デバイスによって、構成パラメータを受信することであって、前記構成パラメータが、
１つ以上の論理チャネルの第１のパラメータであって、前記１つ以上の論理チャネルの各論理チャネルが、複数の送信持続時間のうちの対応する１つ以上の第１の送信持続時間にマッピングされていることを示す、第１のパラメータと、
バッファステータスレポートタイマに対する第１の値を示す第２のパラメータと、を含む、受信することと、
前記第１の値を有する前記バッファステータスレポートタイマを開始させることであって、
前記複数の送信持続時間内の第２の送信持続時間と関連付けられた少なくとも１つのアップリンクグラントを受信することと、
前記第２の送信持続時間にマッピングされている前記１つ以上の論理チャネルのうちの、データを有する少なくとも１つの論理チャネルと、に応答して、開始させることと、
前記バッファステータスレポートタイマ満了に応答して、バッファステータスレポートを送信することと、を含む、方法。
（項目６０）
前記バッファステータスレポートタイマを実行し続けることであって、
前記第２の送信持続時間と関連付けられた少なくとも１つのアップリンクグラントを受信することと、
前記１つ以上の論理チャネル内の、データを有する前記少なくとも１つの論理チャネルのいずれも、前記第２の送信持続時間にマッピングされていないことと、に応答して、実行し続けること、をさらに含む、項目５９に記載の方法。
（項目６１）
前記構成パラメータが、時間窓を示し、前記少なくとも１つのアップリンクグラントが、前記時間窓内に受信される、項目５９または６０に記載の方法。
（項目６２）
前記バッファステータスレポートが、前記１つ以上の論理チャネルの少なくともバッファステータスを示す、項目５９〜６１のいずれかに記載の方法。
（項目６３）
前記無線デバイスが、前記少なくとも１つのアップリンクグラントのうちの少なくとも１つに基づいて、前記バッファステータスレポートを送信する、項目５９〜６２のいずれかに記載の方法。
（項目６４）
バッファステータスレポート媒体アクセス制御（ＭＡＣ）制御要素を生成するように、多重化およびアセンブリプロシージャを命令することに応答して、前記第１のバッファステータスレポートタイマを前記第１の値で開始させることをさらに含む、項目５９〜６３のいずれかに記載の方法。
（項目６５）
前記バッファステータスレポートが、短いフォーマット、切り捨てフォーマット、または長いフォーマットのうちの１つを有する、項目５９〜６４のいずれかに記載の方法。
（項目６６）
前記バッファステータスレポートが、前記１つ以上の論理チャネルのうちの１つ以上の第２の論理チャネルのバッファステータスを示す、項目５９〜６５のいずれかに記載の方法。
（項目６７）
前記第１のパラメータが、前記１つ以上の論理チャネルの各々に対する、対応する論理チャネル識別子を含む、項目５９〜６６のいずれかに記載の方法。
（項目６８）
前記バッファステータスレポートを送信することに応答してアップリンクグラントを受信することをさらに含む、項目５９〜６７のいずれかに記載の方法。
（項目６９）
無線デバイスであって、
１つ以上のプロセッサと、
命令を格納するメモリであって、前記命令は、前記１つ以上のプロセッサによって実行されたときに、前記無線デバイスに、
構成パラメータを受信することであって、前記構成パラメータが、
１つ以上の論理チャネルの第１のパラメータであって、前記１つ以上の論理チャネルの各論理チャネルが、複数の送信持続時間のうちの対応する１つ以上の第１の送信持続時間にマッピングされていることを示す、第１のパラメータと、
バッファステータスレポートタイマに対する第１の値を示す第２のパラメータと、を含む、受信することと、
前記第１の値を有する前記バッファステータスレポートタイマを開始させることであって、
前記複数の送信持続時間内の第２の送信持続時間と関連付けられた少なくとも１つのアップリンクグラントを受信することと、
前記１つ以上の論理チャネルのうちの、データを有する少なくとも１つの論理チャネルが、前記第２の送信持続時間にマッピングされていることと、に応答して、開始させることと、
前記バッファステータスレポートタイマ満了に応答して、バッファステータスレポートを送信することと、を行わせる、メモリと、を備える、無線デバイス。
（項目７０）
前記命令が、前記１つ以上のプロセッサによって実行されたときに、前記無線デバイスに、前記バッファステータスレポートタイマを実行し続けることを行わせることであって、
前記送信持続時間と関連付けられた少なくとも１つのアップリンクグラントを受信することと、
前記１つ以上の論理チャネル内の、データを有する前記少なくとも１つの論理チャネルのいずれも、前記第２の送信持続時間にマッピングされていないことと、に応答して、行わせること、をさらに含む、項目６９に記載の方法。
（項目７１）
前記構成パラメータが、時間窓を示し、前記少なくとも１つのアップリンクグラントが、前記時間窓内に受信される、項目６９または７０に記載の無線デバイス。
（項目７２）
前記バッファステータスレポートが、前記１つ以上の論理チャネルの少なくともバッファステータスを示す、項目６９〜７１のいずれかに記載の無線デバイス。
（項目７３）
前記無線デバイスが、前記少なくとも１つのアップリンクグラントのうちの少なくとも１つに基づいて、前記バッファステータスレポートを送信する、項目６９〜７２のいずれかに記載の無線デバイス。
（項目７４）
前記命令が、前記１つ以上のプロセッサによって実行されたときに、バッファステータスレポート媒体アクセス制御（ＭＡＣ）制御要素を生成するように、多重化およびアセンブリプロシージャを命令することに応答して、前記無線デバイスに、前記第１の値を有する前記第１のバッファステータスレポートタイマを開始させることをさらに行わせる、項目６９〜７３のいずれかに記載の無線デバイス。
（項目７５）
前記バッファステータスレポートが、短いフォーマット、切り捨てフォーマット、または長いフォーマットのうちの１つを有する、項目６９〜７４のいずれかに記載の無線デバイス。
（項目７６）
前記バッファステータスレポートが、前記１つ以上の論理チャネルのうちの１つ以上の第２の論理チャネルのバッファステータスを示す、項目６９〜７５のいずれかに記載の無線デバイス。
（項目７７）
前記第１のパラメータが、前記１つ以上の論理チャネルの各々に対する、対応する論理チャネル識別子を含む、項目６９〜７７のいずれかに記載の無線デバイス。
（項目７８）
前記命令が、前記１つ以上のプロセッサによって実行されたときに、前記無線デバイスに、前記バッファステータスレポートを送信することに応答して、アップリンクグラントを受信することを行わせるように、前記無線デバイスに、さらに行わせる、項目６９〜７８のいずれかに記載の無線デバイス。